(57)【特許請求の範囲】
【請求項１】
印刷面となる受像層と剥離紙層とを積層して成るテープ状部材に印刷を行うと共にこれをカットしてラベル片を作成するラベル作成装置において、
前記テープ状部材を送りながら当該テープ状部材に印刷を行う印刷手段と、
前記テープ状部材をフルカットするフルカット手段と、
前記受像層のみのカットにより前記テープ状部材をハーフカットするハーフカット手段と、
前記印刷手段、前記フルカット手段および前記ハーフカット手段を制御する制御手段と、
前記ラベル片のラベルとなるラベル部に対し、前記剥離紙層の剥離代となるピール部を付加するか否かを二者択一するピール付加選択手段と、
前記ピール部への印刷内容を、複数の選択肢の中から選択するか、または入力されたキャラクタとするピール内容設定手段と、
を備え、
前記制御手段は、前記ピール付加選択手段により前記ピール部を付加することが選択された場合、ハーフカットにより前記ラベル部と前記ピール部とが画成され、且つ当該ピール部に前記ピール内容設定手段により設定された印刷内容が印刷されたラベル片を作成することを特徴とするラベル作成装置。
【請求項２】
印刷面となる受像層と剥離紙層とを積層して成るテープ状部材に印刷を行うと共にこれをカットしてラベル片を作成するラベル作成装置において、
前記テープ状部材を送りながらこれに印刷を行う印刷手段と、
前記テープ状部材をフルカットするフルカット手段と、
前記受像層のみのカットにより前記テープ状部材をハーフカットするハーフカット手段と、
前記印刷手段、前記フルカット手段および前記ハーフカット手段を制御する制御手段と、
前記ラベル片のラベルとなるラベル部に対し、前記剥離紙層の剥離代となるピール部を付加するか否かを二者択一するピール付加選択手段と、
前記ピール部の長さを設定するピール長設定手段と、
を備え、
前記制御手段は、前記ピール付加選択手段により前記ピール部を付加することが選択された場合、ハーフカットにより前記ラベル部と前記ピール部とが画成され、且つ当該ピール部の長さが前記ピール長設定手段により設定されたピール長となるラベル片を作成することを特徴とするラベル作成装置。
【請求項３】
印刷面となる受像層と剥離紙層とを積層して成るテープ状部材を送りながら当該テープ状部材に印刷を行う印刷手段と、
前記テープ状部材をフルカットするフルカット手段と、
前記受像層のみのカットにより前記テープ状部材をハーフカットするハーフカット手段と、を有するラベル作成装置のラベル作成方法であって、
前記ラベル片のラベルとなるラベル部に対し、前記剥離紙層の剥離代となるピール部を付加するか否かを二者択一するピール付加選択工程と、
前記ピール部への印刷内容を、複数の選択肢の中から選択するか、または入力されたキャラクタとするピール内容設定工程と、
前記印刷手段、前記フルカット手段および前記ハーフカット手段を制御する制御工程と、を備え、
前記制御工程では、前記ピール付加選択工程において前記ピール部を付加することが選択された場合、ハーフカットにより前記ラベル部と前記ピール部とが画成され、且つ当該ピール部に、前記ピール内容設定工程において設定された印刷内容が印刷されたラベル片を作成することを特徴とするラベル作成装置のラベル作成方法。
【請求項４】
印刷面となる受像層と剥離紙層とを積層して成るテープ状部材に印刷を行うと共にこれをカットしてラベル片を作成するラベル作成装置において、
前記テープ状部材を送りながらこれに印刷を行う印刷手段と、
前記テープ状部材をフルカットするフルカット手段と、
前記受像層のみのカットにより前記テープ状部材をハーフカットするハーフカット手段と、を有するラベル作成装置のラベル作成方法であって、
前記ラベル片のラベルとなるラベル部に対し、前記剥離紙層の剥離代となるピール部を付加するか否かを二者択一するピール付加選択工程と、
前記ピール部の長さを設定するピール長設定工程と、
前記印刷手段、前記フルカット手段および前記ハーフカット手段を制御する制御工程と、を備え、
前記制御工程では、前記ピール付加選択工程において前記ピール部を付加することが選択された場合、ハーフカットにより前記ラベル部と前記ピール部とが画成され、且つ当該ピール部の長さが前記ピール長設定工程において設定されたピール長となるラベル片を作成することを特徴とするラベル作成装置のラベル作成方法。
【発明の詳細な説明】
【０００１】
【発明の属する技術分野】
本発明は、印刷面となる受像層と剥離紙層とを積層して成るテープ状部材に、当該剥離紙層を剥離しやすくするためのピール部を作成可能なラベル作成装置およびラベル作成装置のラベル作成方法に関するものである。
【０００２】
【従来の技術】
従来、印刷面となる受像層と剥離紙層とを積層して成るテープ状部材に文字や記号等のキャラクタを印刷した後、所定の長さに切断することでラベルを作成可能なラベル作成装置が知られている。この種のラベル作成装置では、種々の材質や厚み、また種々のテープ幅を有するテープ状部材が使用可能となっており、作成されるラベルが多様化している。そして、このラベルの多様化に伴い、特にテープ状部材（受像層）の薄厚なものや、テープ幅が狭いものなど剥離紙の剥離作業が困難なラベルが増加の傾向にあった。
【０００３】
そこで、近年、作成されたラベルの角を小さく折り曲げることにより剥離紙層を剥離しやすくする「簡易剥離機能」や、ハーフカット機能によってラベル部の端部を受像層のみカットした後、１〔ｃｍ〕程度の長さ（ピール部）を残してフルカットする「ピーラー機能」が知られるようになってきた。前者の場合、装置上に形成されたラベル挿入部に、ユーザによって印刷後のラベルが挿入され、角部を小さく折り曲げることにより、受像層と剥離紙層の屈曲率の違いを利用して剥離紙層を剥離しやすくするものである。しかしながら、この方法では、角部が折れ曲がるため、見た目が悪くなると共に折れ曲がった角部から剥がれやすいといった問題があった。これは、人間が剥がれにくいラベルを剥がそうとするときに、爪で角部を潰してしまうのと同様の問題点である。
一方、後者のハーフカット機能を利用した「ピーラー機能」は、ラベル部の後端にハーフカットをした後、ピール部を残してフルカットし、ユーザが、ピール部と、ラベルのもう一方の端部付近とをそれぞれ指先でつまみ、受像層を上に向けて反り返らせることで、ラベルの端部が浮き上がるため、剥離紙層を剥離しやすくすることができる。このため、見た目も美しく剥がれにくいラベルを作成することができると共に、貼着対象物にラベルを貼着する作業を円滑に行うことができるようになった。
【０００４】
【発明が解決しようとする課題】
ところで、近年知られているピーラー機能は、印刷を行った後、所定量のテープ送りを行い、テープ送りを中止した状態でフルカットおよびハーフカットを同時に行うため、フルカッタとハーフカッタとの位置関係に基づいて、決まった位置（ラベルの後端部）且つ一定の長さ（フルカッタとハーフカッタとの間の長さ）のピール部を作成するようになっている。ところが、ピール部が作成されているにも関わらず、ハーフカット位置が分かりづらい（見えづらい）といった問題があった。また、例えば、指が太い男性や爪の長い女性などは、ピール部が長いほうがより剥離作業が容易である。また、右利き・左利きによってピール部の位置を変更できれば、より使い勝手が良くなる。このように、ピール部を作成する機能が搭載されているにも関わらず、人によっては使い勝手が悪いといった問題があった。
【０００５】
本発明は、上記の問題点に鑑み、使い勝手の良いピール部を作成可能なラベル作成装置およびラベル作成装置のラベル作成方法を提供することを目的とする。
【０００６】
【課題を解決するための手段】
本発明のラベル作成装置は、印刷面となる受像層と剥離紙層とを積層して成るテープ状部材に印刷を行うと共にこれをカットしてラベル片を作成するラベル作成装置において、テープ状部材を送りながら当該テープ状部材に印刷を行う印刷手段と、テープ状部材をフルカットするフルカット手段と、受像層のみのカットによりテープ状部材をハーフカットするハーフカット手段と、印刷手段、フルカット手段およびハーフカット手段を制御する制御手段と、ラベル片のラベルとなるラベル部に対し、剥離紙層の剥離代となるピール部を付加するか否かを二者択一するピール付加選択手段と、ピール部への印刷内容を、複数の選択肢の中から選択するか、または入力されたキャラクタとするピール内容設定手段と、を備え、制御手段は、ピール付加選択手段によりピール部を付加することが選択された場合、ハーフカットによりラベル部とピール部とが画成され、且つ当該ピール部にピール内容設定手段により設定された印刷内容が印刷されたラベル片を作成することを特徴とする。
本発明の他のラベル作成装置は、印刷面となる受像層と剥離紙層とを積層して成るテープ状部材に印刷を行うと共にこれをカットしてラベル片を作成するラベル作成装置において、テープ状部材を送りながらこれに印刷を行う印刷手段と、テープ状部材をフルカットするフルカット手段と、受像層のみのカットによりテープ状部材をハーフカットするハーフカット手段と、印刷手段、フルカット手段およびハーフカット手段を制御する制御手段と、ラベル片のラベルとなるラベル部に対し、剥離紙層の剥離代となるピール部を付加するか否かを二者択一するピール付加選択手段と、ピール部の長さを設定するピール長設定手段と、を備え、制御手段は、ピール付加選択手段によりピール部を付加することが選択された場合、ハーフカットによりラベル部とピール部とが画成され、且つ当該ピール部の長さがピール長設定手段により設定されたピール長となるラベル片を作成することを特徴とする。
本発明のラベル作成装置のラベル作成方法は、印刷面となる受像層と剥離紙層とを積層して成るテープ状部材を送りながら当該テープ状部材に印刷を行う印刷手段と、テープ状部材をフルカットするフルカット手段と、受像層のみのカットによりテープ状部材をハーフカットするハーフカット手段と、を有するラベル作成装置のラベル作成方法であって、ラベル片のラベルとなるラベル部に対し、剥離紙層の剥離代となるピール部を付加するか否かを二者択一するピール付加選択工程と、ピール部への印刷内容を、複数の選択肢の中から選択するか、または入力されたキャラクタとするピール内容設定工程と、印刷手段、フルカット手段およびハーフカット手段を制御する制御工程と、を備え、制御工程では、ピール付加選択工程においてピール部を付加することが選択された場合、ハーフカットによりラベル部とピール部とが画成され、且つ当該ピール部に、ピール内容設定工程において設定された印刷内容が印刷されたラベル片を作成することを特徴とする。
本発明の他のラベル作成装置のラベル作成方法は、印刷面となる受像層と剥離紙層とを積層して成るテープ状部材に印刷を行うと共にこれをカットしてラベル片を作成するラベル作成装置において、テープ状部材を送りながらこれに印刷を行う印刷手段と、テープ状部材をフルカットするフルカット手段と、受像層のみのカットによりテープ状部材をハーフカットするハーフカット手段と、を有するラベル作成装置のラベル作成方法であって、ラベル片のラベルとなるラベル部に対し、剥離紙層の剥離代となるピール部を付加するか否かを二者択一するピール付加選択工程と、ピール部の長さを設定するピール長設定工程と、印刷手段、フルカット手段およびハーフカット手段を制御する制御工程と、を備え、制御工程では、ピール付加選択工程においてピール部を付加することが選択された場合、ハーフカットによりラベル部とピール部とが画成され、且つ当該ピール部の長さがピール長設定工程において設定されたピール長となるラベル片を作成することを特徴とする。
なお、以下のように構成することも可能である。
本発明のラベル作成装置は、印刷面となる受像層と剥離紙層とを積層して成るテープ状部材に印刷を行うと共にこれをカットしてラベル片を作成するラベル作成装置において、テープ状部材を送りながらこれに印刷を行う印刷手段と、テープ状部材をフルカットするフルカット手段と、受像層のみのカットによりテープ状部材をハーフカットするハーフカット手段と、印刷手段、フルカット手段およびハーフカット手段を制御する制御手段と、ラベル片のラベルとなるラベル部に対し、剥離紙層の剥離代となるピール部を付加するか否かを選択するピール付加選択手段と、を備え、制御手段は、ピール付加選択手段によりピール部を付加することが選択された場合、ハーフカットによりラベル部とピール部とを画成したラベル片を作成することを特徴とする。
【０００７】
また、本発明のラベル作成方法は、印刷面となる受像層と剥離紙層とを積層して成るテープ状部材に印刷を行うと共にこれをカットしてラベル片を作成するラベル作成方法において、テープ状部材を送りながらこれに印刷を行う印刷工程と、テープ状部材をフルカットするフルカット工程と、受像層のみのカットによりテープ状部材をハーフカットするハーフカット工程と、ラベル片のラベルとなるラベル部に対し、剥離紙層の剥離代となるピール部を付加するか否かを選択するピール付加選択工程と、を備え、ピール付加選択工程によりピール部を付加することが選択された場合、ハーフカットによりラベル部とピール部とを画成したラベル片を作成することを特徴とする。
【０００８】
これらの構成によれば、ラベル片のラベルとなるラベル部に対し、剥離紙層の剥離代となるピール部を付加するか否かを選択することができる。すなわち、ピール部を付加する場合は剥離作業が容易になり、ピール部を付加しない場合は、ピール部分のテープ状部材の無駄を無くすことができるが、ユーザの好みに応じていずれかを選択することができるため、使い勝手が向上する。
【０００９】
この場合、ピール部の長さを設定するピール長設定手段を、更に備えたことが好ましい。
【００１１】
この構成によれば、ピール部の長さ（ピール長）を設定することができるため、例えばユーザが指の太い男性の場合はピール部を長くし、ユーザが子供の場合はピール部を短くするなどの設定を行うことができる。
【００１２】
これらの場合、制御手段は、ハーフカット手段と同時、若しくはハーフカット手段を駆動した後にフルカット手段を駆動することが好ましい。
【００１４】
この構成によれば、フルカットが、ハーフカットと同時若しくはハーフカット後に行われるため、安定した状態でハーフカットを行うことができる。またフルカットとハーフカットが常に同時に行われる訳ではないため、ピール長を任意に設定することができる。
【００１５】
これらの場合、ラベル部に対し、ピール部を付加する位置を、ラベル部の前部、後部および前・後部のいずれかに設定することが好ましい。
【００１７】
この構成によれば、ピール部を付加する位置を、ラベル部の前部、後部および前・後部のいずれかに設定することができる。これにより、例えば利き手によってピール部の位置を変更することができるため、より使い勝手を向上させることができる。
【００１８】
これらの場合、制御手段は、印刷手段を制御し、ピール部に対して印刷を行うことが好ましい。
【００２０】
この構成によれば、ピール部に対して印刷を行うことができるため、ピール部にユーザへのメッセージ（例えば、ラベルの貼着方法など）を印刷することができる。
【００２１】
この場合、ピール部への印刷内容には、ピール部であることを示す定型の語句、ピール部であることを示す定型の文章およびピール部であることを示す定型のイラストのうち、いずれかが含まれることが好ましい。
【００２２】
この構成によれば、ピール部に、ピール部であることを示す定型の語句、ピール部であることを示す定型の文章およびピール部であることを示す定型のイラストのうちいずれかを印刷することができる。これにより、ユーザに対してピール部の存在を確実に知らしめることができる。
【００２３】
この場合、ピール部への印刷内容には、ラベル部の剥離位置を示す定型の語句、ラベル部の剥離位置を示す定型の文章およびラベル部の剥離位置を示す定型のイラストのうち、いずれかが含まれることが好ましい。
【００２４】
この構成によれば、ピール部に、ラベル部の剥離位置を示す定型の語句、ラベル部の剥離位置を示す定型の文章およびラベル部の剥離位置を示す定型のイラストのうちいずれかを印刷することができる。これにより、ユーザに対してラベルの剥離位置を確実に知らしめることができる。
【００２５】
この場合、ピール部への印刷内容を、ピール部であることを示す定型の語句、ピール部であることを示す定型の文章、ピール部であることを示す定型のイラスト、ラベル部の剥離位置を示す定型の語句、ラベル部の剥離位置を示す定型の文章およびラベル部の剥離位置を示す定型のイラストのうちのいずれかから選択可能なピール内容選択手段を、更に備えたことが好ましい。
【００２６】
この構成によれば、ピール部に印刷する内容を複数の選択肢の中から選択することができるため、ユーザは、ピール部に好みの印刷内容を容易に印刷させることができる。また、同内容であっても、定型の語句、定型の文章および定型のイラストの中からユーザの好みに応じて選択することができる。すなわち、定型の語句を選択した場合はピール部を短く設定することができるため、テープ状部材の無駄を少なくすることができ、定型の文章を選択した場合はユーザに対してメッセージを丁寧に伝えることができる。また、定型のイラストを選択した場合は、ユーザに対して分かりやすくメッセージを伝えることができる、といった利点を有する。
【００２７】
これらの場合、ピール部であることを示す定型のイラストおよびラベル部の剥離位置を示す定型のイラストには、指先を表したイラストが含まれることが好ましい。
【００２８】
この構成によれば、ピール部に、指先を表したイラストを印刷することができるため、ラベルを指でつまんで剥離することをユーザに分かりやすく伝えることができる。
【００２９】
これらの場合、ピール部に印刷するためのキャラクタを入力するピール入力手段、を更に備え、ピール部への印刷内容には、ピール入力手段により入力したキャラクタが含まれることが好ましい。
【００３０】
この構成によれば、ピール部に、ユーザの所望するキャラクタの入力を行うことができるため、ピール部の使用方法の応用範囲を更に拡げることができる。
【００３１】
これらの場合、ピール部への印刷内容には、ラベル部への印刷内容に対応したバーコードが含まれることが好ましい。
【００３２】
この構成によれば、ピール部に、ラベル部への印刷内容に対応したバーコードを印刷することができるため、通常、ラベル貼着後は不要となるピール部を有効利用することができる。
【００３３】
これらの場合、ピール部への印刷内容には、ラベル部への印刷内容と同様且つ同サイズの内容が含まれることが好ましい。
【００３４】
この構成によれば、ピール部に、ラベル部への印刷内容と同様且つ同サイズの内容を印刷することができるため、ラベル部を紛失したときの予備としてピール部を利用するなど、ピール部を有効利用することができる。
【００３５】
これらの場合、ピール部への印刷内容には、ラベル部への印刷内容と同様且つ縮小サイズの内容が含まれることが好ましい。
【００３６】
この構成によれば、ピール部に、ラベル部への印刷内容と同様且つ縮小サイズの内容を印刷することができるため、テープ状部材の無駄を少なくしつつ、ピール部を有効利用することができる。
【００３７】
【発明の実施の形態】
本発明のラベル作成装置は、ラベルの受像層と剥離紙層とを剥離しやすくすることを目的として作成されるピール部を、ユーザの好みに応じて作成する「ピーラー機能」を備えたものである。なお、ピール部とは、ラベルとして貼着するラベル部に付加的に作成されるものであり、ピール部とラベル部とは、受像層のみがカットされるハーフカットによって画成されている。そして、これにより、ユーザは剥離作業を容易且つ迅速に行い得るものである。以下、本発明の一実施形態に係るラベル作成装置およびラベル作成装置のラベル作成方法について、添付図面を参照しながら詳細に説明する。
【００３８】
図１は、本実施形態におけるラベル作成装置１の全体を示す外観構成であり、図２は、ラベル作成装置１の蓋体８を開蓋した状態の外観構成である。
【００３９】
図１および図２に示すように、このラベル作成装置１は、装置ケース４により外殻を形成した装置本体２と、装置本体２に着脱自在に装着したテープカートリッジＣとから構成されている。装置本体２は、装置ケース４の後部左方上面に取り付けられた窓付きの開閉蓋５と、開閉蓋５の右隣に配設され開閉蓋５を開閉操作する開閉ボタン６と、開閉ボタン６右方の装置ケース４の上面に配設されたトリム部７と、中間部に取り付けられディスプレイ１４が組み込こまれた開閉自在な蓋体８と、蓋体８の手前側で装置ケース４の上面から突出し露出キー群１０および露出ランプ群１９を有する三日月形状部９とを備えている。また、装置ケース４の上面には、蓋体８に開閉自在に覆われるキーボード３が配設されている。そして、開閉蓋５の内側には、テープカートリッジＣを着脱自在に装着するポケットＰが形成されている。
【００４０】
図１ないし図３に示すように、ラベル作成装置１では、ユーザが、開閉ボタン６により開閉蓋５を開放し、ポケットＰにテープカートリッジＣを装着した後、蓋体８を開蓋して、キーボード３を開放し、ディスプレイ１４を参照しながらキーボード３を操作する。キーボード３により所望の文字など（文字、数字、記号、イラスト等のキャラクタ）の印刷情報を入力して、印刷を指示すると、テープカートリッジＣからテープ状部材Ｔを繰り出して、印刷ヘッド１２２によりテープ状部材Ｔに所望の印刷を行い、印刷済み部分はテープ排出口２２から随時外部に送り出される。所望の印刷が完了すると、余白分を含むテープ長さの位置までテープ状部材Ｔの送りを行った後、その送りを停止し、テープ排出口２２近傍に形成されたテープカッタ１３２（１３２ａ，１３２ｂ）により、送りだしたテープ状部材Ｔをカット（フルカットおよび／またはハーフカット）する。
【００４１】
なお、このようにして形成したテープ状部材Ｔの端部をトリム部７によりトリミングすることもできる。すなわち、ユーザは、装置ケース４の上面を下斜め方向に切り込んだテープ挿入ガイド１３にテープ状部材Ｔを案内させることで、自動的に起動するトリミング機構によりテープ状部材Ｔの端部を成形切断（角部をＲ形状に面取り）することもできる。
【００４２】
テープ状部材Ｔは、印刷面となる受像層Ｔａと、その裏面側に形成された剥離紙層Ｔｂとにより構成され、受像層Ｔａの裏面には粘着剤が塗布されている（図４参照）。テープ状部材ＴとインクリボンＲは、貫通孔５５の位置で相互に重なり合った状態で走行するとともに、テープ状部材Ｔのみが外部に排出され、インクリボンＲは内部で巻き取られるようになっている。外部に排出された印刷後のテープ状部材Ｔは、剥離紙層Ｔｂを剥がして、受像層Ｔａの粘着剤塗布面が貼付対象物に貼付される。なお、ラベル作成装置１には、１層のみの（剥離紙層Ｔｂを有しない）テープ状部材Ｔも使用可能であるが、この場合は「ピーラー機能」を用いることはできない。
【００４３】
ところで、ラベル作成装置１は、装置本体２とパソコンＰＣとをケーブルで接続することで、パソコンＰＣで入力・編集したデータをテープ状部材Ｔに印刷することもできる。ラベル作成装置１とパソコンＰＣとの通信接続状態は、装置本体２とパソコンＰＣとをケーブルで接続することで、通信接続待機状態となり、通信入力キー１８のＯＮ操作により、通信接続可能状態へと切り替え可能となっている。また、接続端子部１５０は、テープ状部材Ｔの排出口とは反対側の装置ケース４に配設されているため、接続したケーブルやＡＣアダプタのコードが、排出されたテープ状部材Ｔを拾い上げる際に邪魔にならないようになっている。さらに、ラベル作成装置１は、背面を下にした立ち姿勢でも、パソコンＰＣで入力した印刷データをテープ状部材Ｔに印刷することも可能である。なお、このようにラベル作成装置１をパソコンＰＣと通信接続する場合、キーボード３は、特に使用する必要がないため、図１に示すように蓋体８に隠蔽されるようになる。
【００４４】
露出キー群１０は、互いに近接して配設した左側の電源入力キー１７と右側の通信入力キー１８とから成る。電源入力キー１７は、装置本体２の電源をＯＮ−ＯＦＦ操作可能とするキーであり、また通信入力キー１８は、パソコンＰＣとの通信接続をＯＮ−ＯＦＦ操作可能とするキーである。
【００４５】
また、露出ランプ群１９は、三日月形状部９の左部に配設された複数の表示ランプから構成されている。複数の表示ランプは、図示左側から、印刷表示ランプ４０、電源表示ランプ４１、自動切断表示ランプ４２、通信表示ランプ４３、およびトリム表示ランプ４４の順に配列され、各種の動作状態に対応して点灯・消灯する。印刷表示ランプ４０は、テープ状部材Ｔに印刷中および印刷済みのテープ状部材Ｔの切断動作中に点灯し、自動切断表示ランプ４２は、自動的にテープ状部材Ｔの切断を行う自動切断機能が設定されている場合に点灯する。また、通信表示ランプ４３は、後述する通信入力キー１８がＯＮの状態のときに点灯し、トリム表示ランプ４４は、トリム部７で印刷済みのテープ状部材Ｔの隅部を成形切断中に点灯する。
【００４６】
次に、制御系の基本的な構成について説明する。図３のブロック図に示すようにキーボード３やディスプレイ１４を有してユーザとのインタフェースを行う操作部１１、印刷ヘッド（サーマルヘッド）１２２やテープ送り部１２０を有してポケットＰ内に装着したテープカートリッジＣのテープ状部材Ｔに印刷を行う印刷部１２、印刷後のテープ状部材Ｔの切断を行う切断部１３、各種センサを有して各種検出を行う検出部１５、各種ドライバを有して各部回路を駆動する駆動部２７０、および、ラベル作成装置１内の各部を制御する制御部２００を備えている。このため、装置ケース４の内部には、印刷部１２、切断部１３、検出部１５などの他、図外の回路基板が収納されている。この回路基板には、電源ユニットの他、駆動部２７０や制御部２００の各回路などが搭載され、図外のＡＣアダプタ接続口や外部から着脱可能なニッカド電池等の電池に接続されている。
【００４７】
操作部１１は、キーボード３とディスプレイ１４とを備えている。ディスプレイ１４は、横方向（Ｘ方向）約６ｃｍ×縦方向（Ｙ方向）４ｃｍの長方形の形状の内側に、９６ドット×６４ドットの表示画像データを表示可能な表示画面４５を有し、ユーザがキーボード３からデータを入力して、キャラクタ列画像データなどの印刷画像データを作成・編集したり、その結果等を視認したり、キーボード３から各種指令・選択指示等を入力したりする際などに用いられる。
【００４８】
キーボード３には、アルファベットキー群、数字キー群、平仮名や片仮名等の仮名キー群、および外字を呼び出して選択するための外字キー群等を含む文字キー群３１の他、各種の動作モードなどを指定するための機能キー群３２などが配列されている。機能キー群３２には、印刷実行を指示する［印刷］キーの他、漢字変換や機能を選択する場合に、表示されている選択肢を選択する［選択］キー、カーソル位置（図５Ｄ１１等参照）の文字を削除したり各種機能の操作中に操作の取り消しを行う［削除］キー、次に入力されるキャラクタ位置や操作の対象となる位置を示すカーソルＫを移動するための［カーソル］キー（「↑」、「↓」、「→」、「←」）の他、ピール部Ｌ２の設定を行うための［ピール］キーなどが含まれる。なお、当然ながら、これらのキー入力は、一般的なキーボードと同様に、各キー入力毎に個別にキーを設けて入力しても良いし、シフトキー等と組み合わせてより少ない数のキーを用いて入力しても良い。図３に示すように、キーボード３は、種々の指令およびデータを制御部２００に入力する。
【００４９】
テープ送り部１２０は、テープ状部材Ｔを送り出す送りモータ１２１を備え、送りモータ１２１の先端には図外の検出開口が形成された円盤が固着されている。さらに、その検出開口に臨むようにフォトセンサ等を有する回転速度センサ１４１が設けられていて、送りモータ１２１の回転速度を検出して制御部２００に報告する。
【００５０】
印刷部１２には、開閉蓋５の内側に、テープカートリッジＣを装着するためのポケットＰが設けられていて、テープカートリッジＣはこの開閉蓋５を開放した状態でポケットＰに対して着脱される。テープカートリッジＣには、カートリッジケース５１の内部に一定の幅（４．５ｍｍ〜４８ｍｍ程度）のテープ状部材ＴとインクリボンＲとを収容されており、また、ポケットＰに配設されたヘッドユニットに差し込むための貫通孔５５が形成されている。
【００５１】
また、図示しないが、テープカートリッジＣの裏面には、相異なる幅等のテープ状部材Ｔの幅を識別できるように、小さな複数の孔が設けられ、ポケットＰには、この孔の有無を検出するマイクロスイッチなどのテープ幅検出センサ１４２が設けられていて、これにより、テープ状部材Ｔの幅を検出できるようになっている。
【００５２】
切断部１３は、テープ状部材Ｔを切断するフルカット用テープカッタ１３２ａと、テープ状部材Ｔの受像層Ｔａのみを切断するハーフカット用テープカッタ１３２ｂと、任意長印刷などの場合に手動（マニュアル操作）によりテープカッタ１３２ａ、１３２ｂを切断動作させるカットボタン１３３ａ、１３３ｂと、定長印刷などの場合に自動的にテープカッタ１３２ａ、１３２ｂを切断動作させるカッタモータ１３１ａ、１３１ｂと、を備えている。なお、本発明の特徴となるピーラー機能は、ラベル部Ｌ１の前部、後部、前・後部にピール部Ｌ２を設けるものであり、このピール部Ｌ２はハーフカット用テープカッタ１３２ｂによるハーフカットによって、ラベル部Ｌ１と画成（分割）されている（図４（ｃ）参照）。
【００５３】
フルカット用テープカッタ１３２ａとハーフカット用テープカッタ１３２ｂは、テープカートリッジＣとテープ排出口２２との間に配設され、それぞれ送り経路に臨んでフルカット用テープカッタ１３２ａが上流側に、ハーフカット用テープカッタ１３２ｂが下流側に配設されている。フルカット用テープカッタ１３２ａは、テープ状部材Ｔの印刷済み部分を所定の寸法にカットしてラベル片を作成するものであり、ハーフカット用テープカッタ１３２ｂは、テープ状部材Ｔの受像層Ｔａのみをカットして（ハーフカットして）ピール部Ｌ２を作成するものである。
【００５４】
具体的には、フルカット用テープカッタ１３２ａは、例えばハサミ形式のカッタやスライドカッタ等からなり、テープ状部材Ｔをテープ送り方向に直交する方向（テープ状部材Ｔの幅方向）に直線的にフルカットする。そして、このフルカットによる切断結果は、図４（ａ）に示すように、テープ状部材Ｔの受像層Ｔａおよび剥離紙層Ｔｂを切断するものとなる。
【００５５】
一方、ハーフカット用テープカッタ１３２ｂは、例えば斜刃で構成したカッタ刃を有し、フルカットの場合と同様、テープ状部材Ｔをテープ送り方向に直交する方向（テープ状部材Ｔの幅方向）に直線的にハーフカットする。この場合、ハーフカット用テープカッタ１３２ｂは、循環運動するように構成されており、この循環運動の一過程である下側から上側への移動がハーフカット用テープカッタ１３２ｂの切断動作となって、テープ状部材Ｔをハーフカットする。そして、このハーフカットによる切断結果は、同図（ｂ）に示すように、テープ状部材Ｔの剥離紙層Ｔｂを残して受像層Ｔａのみを切断するものとなる。
【００５６】
このように、フルカット用テープカッタ１３２ａとハーフカット用テープカッタ１３２ｂは、それぞれ専用のモータ（フルカット用カッタモータ１３１ａ、ハーフカット用カッタモータ１３１ｂ）を有している。そのため、フルカット用テープカッタ１３２ａとハーフカット用テープカッタ１３２ｂとは完全に独立駆動し、フルカットとハーフカットの組み合わせ自由度が大きくなる。これにより、ラベル部Ｌ１に対するピール部Ｌ２の位置や、ピール部Ｌ２の長さを、ユーザの好みによって任意に設定することができる（図５および図６参照）。
【００５７】
また、フルカット用テープカッタ１３２ａ、ハーフカット用テープカッタ１３２ｂ、テープ排出口２２の順で配設することによって、印刷ヘッド１２２の配設位置からフルカット位置までの距離が最小限にでき、テープ状部材Ｔの先端部の余白を短く設定することができるため、テープ状部材Ｔの無駄を少なくすることができる。
【００５８】
さらに、フルカット用テープカッタ１３２ａによるフルカットは、ハーフカット用テープカッタ１３２ｂによるハーフカットと同時若しくはハーフカット後に行われるようになっている。すなわち、フルカット後にハーフカットを行うことがないため、テープ状部材Ｔが安定した状態（保持された状態）でハーフカットを行うことができる。
【００５９】
また、ラベル作成装置１では、モード設定によって、自動／手動を切り替えられるようにしている。このため、手動カットの場合、印刷が完了した時点で、ユーザが、装置ケース４に配設されたカットボタン１３３ａまたは１３３ｂを押すことで、カッタモータ１３１ａまたは１３１ｂが駆動され、テープカッタ１３２ａまたは１３２ｂが作動してテープ状部材Ｔが所望の長さに切断される。また、自動カットの場合、印刷が終了して余白分だけテープ送りされ、それが停止すると同時に、カッタモータ１３１ａまたは１３１ｂが駆動されて、テープ状部材Ｔの切断が行われる。なお、自動カットの場合、ハーフカットを行うように設定されていた場合にはハーフカット用テープカッタ１３２ｂが駆動され、特に切断方法の指定が為されていない場合はフルカット用テープカッタ１３２ａが駆動される。
【００６０】
検出部１５は、前述の回転速度センサ１４１およびテープ幅検出センサ１４２を備えている。なお、実状に合わせて、これらを省略した構成とすることもできる。
【００６１】
駆動部２７０は、ディスプレイドライバ２７１と、ヘッドドライバ２７２と、モータドライバ２７３とを備えている。ディスプレイドライバ２７１は、制御部２００から出力される制御信号に基づき、その指示にしたがって、操作部１１のディスプレイ１４を駆動する。同様に、ヘッドドライバ２７２は、制御部２００の指示にしたがって、印刷部１２の印刷ヘッド１２２を駆動する。また、モータドライバ２７３は、印刷部１２の送りモータ１２１を駆動する送りモータドライバ２７３ｄと、切断部１３のフルカット用カッタモータ１３１ａを駆動するフルカット用カッタモータドライバ２７３ｂと、ハーフカット用カッタモータ１３１ｂを駆動するハーフカット用カッタモータドライバ２７３ｃとを有し、同様に、制御部２００の指示にしたがって、各モータを駆動する。
【００６２】
制御部２００は、ＣＰＵ２１０、ＲＯＭ２２０、キャラクタジェネレータＲＯＭ（ＣＧ−ＲＯＭ）２３０、ＲＡＭ２４０、周辺制御回路（Ｐ−ＣＯＮ）２５０を備え、互いに内部バス２６０により接続されている。ＲＯＭ２２０は、ＣＰＵ２１０で処理する制御プログラムを記憶する制御プログラム領域２２１の他、キャラクタ一覧テーブル、ピール部Ｌ２印刷対象一覧テーブル、色変換テーブルおよび文字修飾テーブルを含む制御データを記憶する制御データ領域２２２を有している。ＣＧ−ＲＯＭ２３０は、ラベル作成装置１に用意されている記号、図形等のビットマップデータを記憶していて、文字等を特定するコードデータが与えられたときに、対応するビットマップデータを出力する。
【００６３】
ＲＡＭ（記憶装置）２４０は、電源キーの操作により電源がオフにされても、記憶したデータを保持しておくように図外のバックアップ回路によって電源の供給を受けており、各種レジスタ群２４１や、ユーザがキーボード３から入力した文字等のキャラクタデータを記憶するキャラクタデータ領域２４２、表示画面４５の表示画像データを記憶する表示画像データ領域２４３、ラベル部Ｌ１およびピール部Ｌ２に印刷する印刷データを記憶する印刷データ領域２４４の他、印刷履歴データ領域２４５やその他の色変換バッファなどの各種変換バッファ領域２４６などの領域を有し、制御処理のための作業領域として使用される。
【００６４】
Ｐ−ＣＯＮ２５０には、ＣＰＵ２１０の機能を補うとともに周辺回路とのインタフェース信号を取り扱うための論理回路が、ゲートアレイやカスタムＬＳＩなどにより構成されて組み込まれている。例えば、種々の計時を行うタイマ２５１などもＰ−ＣＯＮ２５０内の機能として組み込まれている。このため、Ｐ−ＣＯＮ２５０は、検出部１５の各種センサやキーボード３と接続され、検出部１５からの前述した各種検出信号およびキーボード３からの各種指令や入力データなどをそのままあるいは加工して内部バス２６０に取り込むとともに、ＣＰＵ２１０と連動して、ＣＰＵ２１０等から内部バス２６０に出力されたデータや制御信号を、そのままあるいは加工して駆動部２７０に出力する。
【００６５】
そして、ＣＰＵ２１０は、上記の構成により、ＲＯＭ２２０内の制御プログラムにしたがって、Ｐ−ＣＯＮ２５０を介して各種検出信号、各種指令、各種データ等を入力し、ＣＧ−ＲＯＭ２３０からのビットマップデータ、ＲＡＭ２４０内の各種データ等を処理し、Ｐ−ＣＯＮ２５０を介して駆動部２７０に制御信号を出力することにより、印刷の位置制御や表示画面４５の表示制御等を行うとともに、印刷ヘッド１２２を制御して所定の印刷条件でテープ状部材Ｔに印刷したり、テープ状部材Ｔを切断したりするなど、ラベル作成装置１全体を制御している。
【００６６】
ここで、ラベル作成装置１におけるラベル作成方法について説明する。本発明のラベル作成装置１は、前述の通り、ラベル部Ｌ１の受像層Ｔａと剥離紙層Ｔｂとを剥離しやすくするためのピール部Ｌ２を、ユーザの好みに応じて作成し得るものである。以下、表示画面４５を参照しながら操作手順に従って説明する。
【００６７】
図５は、本発明の第１実施形態に係るラベル作成方法を示した説明図である。同図に示すように、まず、電源投入後の初期画面である＜テキスト入力画面＞（Ｄ１１）では、四角付数字「１」で、これから入力されるキャラクタが１行目の入力であることを示し、その下に付されたカーソルＫで、次に入力されるキャラクタが、四角付数字「１」の右隣であることを示している。ここで、テキスト［ａｂｃｄｅ］が入力されると、表示画面４５上にキャラクタ［ａｂｃｄｅ］を表示すると共に、これに伴ってカーソルＫの表示位置を移動する（Ｄ１２）。
【００６８】
次に、ピール部Ｌ２の設定を行う［ピール］キーが押下されると、＜ピール長設定画面＞（Ｄ１３）に遷移し、選択肢「▲１▼多め」、「▲２▼普通」、「▲３▼少なめ」の中からユーザによりピール長が選択される。ここでは、反転表示されている「▲２▼普通」がデフォルト値となっており、この状態で［選択］キーが押下されると、＜ピール位置設定画面＞（Ｄ１４）に遷移する。なお、デフォルト値「▲２▼普通」以外の選択肢を選択する場合には、［カーソル］キー（「↑」、「↓」、「→」、「←」）の押下によって、反転表示される選択肢を移動させ、所望の選択肢が反転表示されているときに［選択］キーを押下することによって選択することができる。
【００６９】
＜ピール位置設定画面＞（Ｄ１４）では、選択肢「▲１▼前」、「▲２▼後」、「▲３▼前・後」の中からユーザによりピール位置が選択される。ここで、［選択］キーが押下されると、ピール部Ｌ２の設定が終了し、＜テキスト入力画面＞（Ｄ１５）に戻る。ここでは、ピール部Ｌ２の設定が為されている（作成されるラベルＬには、ピール部Ｌ２が付加されている）ことを示すため、表示画面４５の左上に「ピールあり」と反転表示する。
【００７０】
その後、この＜テキスト入力画面＞（Ｄ１５）において、更なるテキストを入力することも可能であるが、この状態で［印刷］キーが押下されると、同図に示すようなラベルＬが作成される。ラベルＬには、剥離紙層Ｔｂを剥離した後、ラベルとして使用可能なラベル部Ｌ１と、ラベル部Ｌ１を剥離しやすくするためのピール部Ｌ２とが形成され、（ピール位置が「▲２▼後」に設定されている場合）ラベル部Ｌ１の後端（ピール部Ｌ２の先端）が、ハーフカットされている（点線にて図示；図４（ｃ）参照）。ユーザは、ピール部Ｌ２と、ラベル部Ｌ１とをそれぞれ指先でつまみ、受像層Ｔａを上に向けて反り返らせることで、ラベル部Ｌ１の後端部を浮き上がらせ、ラベル部Ｌ１の受像層Ｔａを剥離する。このように、ピール部Ｌ２を作成することで、貼着対象物にラベルを貼着する作業を円滑に行うことができる。
【００７１】
また、本実施形態によれば、ユーザの好みに応じてピール長やピール位置を選択することができるため、より剥離作業を容易に行うことができる。そこで、図６に、本実施形態による種々のラベルＬの作成例を示した。例えば、同図（ａ）は、ピール長が「▲１▼多め」に設定されているため、特に指の太い男性や爪の長い女性にとっては剥離作業が容易となる。また、ピール位置が「▲１▼前」に設定されているため、利き手によってピール位置が「▲２▼後」では剥離しにくいというユーザでも、簡単に剥離することができる。
【００７２】
また、同図（ｂ）は、ピール位置が「▲３▼前・後」に設定されているため、ユーザの利き手を問わない。すなわち、ラベルＬを作成した本人以外がラベルＬの貼着作業を行う場合に便利である。さらに、同図（ｃ）または（ｄ）の場合は、ピール長が「▲３▼少なめ」に設定されているため、ラベル部Ｌ１の貼着後は不要となるピール部Ｌ２の無駄を少なくすることができる。なお、この「▲３▼少なめ」に設定された場合のピール部Ｌ２の長さは、フルカット用テープカッタ１３２ａとハーフカット用テープカッタ１３２ｂとの間の長さに等しい長さである。
【００７３】
次に、図７および図８を参照し、本発明の第２実施形態に係るラベル作成方法について説明する。本実施形態のラベル作成方法は、ピール部Ｌ２の有効利用を図ったものであり、例えば、ラベル部Ｌ１の剥離位置を示す定型の内容を選択してピール部Ｌ２に印刷することで、ユーザにピール部Ｌ２の存在を分かりやすく示すことができるものである。
【００７４】
例えば、図５Ｄ１２の状態において、［ピール］キーが押下されると、図７に示すように、＜ピール内容設定１画面＞（Ｄ２１）に遷移し、選択肢「▲１▼剥離位置記載」、「▲２▼ピール部記載」のいずれかがユーザにより選択される。この状態（「▲１▼剥離位置記載」が反転表示された状態）で［選択］キーが押下されると、＜ピール内容設定２画面＞（Ｄ２２）に遷移し、選択肢「▲１▼語句」、「▲２▼文章」、「▲３▼イラスト」の中から、ユーザの所望の選択肢が選択される。ここで、［選択］キーが押下されると、設定１「▲１▼剥離位置記載」、設定２「▲２▼文章」（いずれもデフォルト値）が設定され、更に［印刷］キーの押下により、同図に示すようなラベルＬが作成される。作成されたラベルＬのピール部Ｌ２には、「←ここから、剥がしてください。」と文章として丁寧に剥離位置を示した内容がユーザへのメッセージとして印刷される。
【００７５】
図８は、その他の本実施形態による種々のラベル作成例を示したものである。同図（ａ）は、剥離位置を「▲１▼語句」で示したものであり、これにより「▲２▼文章」が設定された場合と比較してピール部Ｌ２を短く設定することができるため、テープ状部材Ｔの無駄を少なくすることができる。また、同図（ｂ）は、剥離位置を「▲３▼イラスト」で示したものであり、これによりユーザに分かりやすく剥離位置を示すことができる。さらに、同図（ｃ）、（ｄ）および（ｅ）は、設定１「▲２▼ピール部記載」に設定し、それぞれ設定２を「▲１▼語句」、「▲２▼文章」、「▲３▼イラスト」に設定した場合の作成例を示したものである。
【００７６】
このように、本実施形態によれば、ピール部Ｌ２に、例えばラベルＬの剥離位置を示す内容を印刷するなどして、ユーザにピール部Ｌ２の存在を確実に示すことができ、ピール部Ｌ２の有効利用を図ることができる。
【００７７】
次に、図９を参照し、本発明の第３実施形態に係るラベル作成方法について説明する。本実施形態のラベル作成方法は、更なるピール部Ｌ２の有効利用を図ったものであり、ラベル部Ｌ１にユーザの所望するキャラクタの入力を行うことができるものである。
【００７８】
例えば、図５Ｄ１２の状態において、［ピール］キーが押下されると、図９に示すように、＜ピール部入力画面＞（Ｄ３１）に遷移し、ユーザの所望するキャラクタの入力が行われる。ここでは「←ゆっくり剥がして！」というテキストが２行に渡って入力され、ここで、［選択］キー、［印刷］キーが続けて押下されると、同図に示すようなラベルＬが作成される。作成されたラベルＬのピール部Ｌ２には、入力されたテキストが印刷される。
【００７９】
このように、本実施形態によれば、ピール部Ｌ２に、ユーザの所望するキャラクタの入力を行うことができるため、ピール部Ｌ２の使用方法の応用範囲を更に拡げることができる。
【００８０】
次に、図１０を参照し、本発明の他の応用例を示す。これらは、第２実施形態や第３実施形態と同様に更なるピール部Ｌ２の有効利用を図ったものであり、通常、ラベル部Ｌ１の剥離後は不要となるピール部Ｌ２を、別ラベルとして利用することができるものである。
【００８１】
例えば、同図（ａ）は、ラベル部Ｌ１に記載された内容「駐車場シール〜ＶＤ設計２Ｇ」をバーコード化したものを、ピール部Ｌ２に印刷したものである。このようなラベルＬを作成することで、例えばラベル部Ｌ１を駐車場の利用者に渡し、ピール部Ｌ２を駐車場管理者のノートに貼付するなどして利用することができる。
【００８２】
また、この変形例として、同図（ｂ）に示すように、「←ここから、剥がしてください。」というメッセージと、ラベル部Ｌ１に記載された内容の一部（例えば「駐車エリア  は−０８４７」）をバーコード化したものとを印刷することも可能である。
【００８３】
また、同図（ｃ）に示すように、ラベル部Ｌ１に記載された内容と同じ内容のものをピール部Ｌ２に印刷することで、ラベル部Ｌ１を紛失してしまったり、貼着対象物から剥がれてしまったりしたときの予備としてピール部Ｌ２を利用できるようにすることも可能である。
【００８４】
さらに、同図（ｄ）に示すように、ラベル部Ｌ１に記載された内容と同じ内容で、且つ縮小したものをピール部Ｌ２に印刷することで、例えば、ラベル部Ｌ１を車両のバックミラー裏面に貼付し、ピール部Ｌ２を車の鍵に貼付するなどして利用することもできる。この他、第１実施形態のピール位置およびピール長さの選択、第２実施形態の定型語句、定型文章、定型イラストの選択、第３実施形態のピール部Ｌ２へのキャラクタ入力の機能と組み合わせて様々なピール部付ラベルを作成可能である。
【００８５】
以上の通り、本発明のラベル作成装置１およびラベル作成方法によれば、ラベル片Ｌのラベルとなるラベル部に対し、剥離紙層Ｔｂの剥離代となるピール部Ｌ２を付加するか否かの他、ピール長やピール位置を選択することができる。すなわち、ユーザの好みに応じてピール部Ｌ２を設定することができるため、使い勝手が向上し、剥離作業を迅速且つ容易に行うことができる。
【００８６】
また、ピール部Ｌ２に印刷する内容を複数の選択肢の中から選択することもできるため、ユーザは、ピール部Ｌ２に好みの印刷内容を容易に印刷させることができる。さらに、ピール部Ｌ２に、ユーザの所望するキャラクタの入力を行うこともできるため、ピール部Ｌ２の使用方法の応用範囲を拡げることができると共に、通常は不要となるピール部Ｌ２の有効利用を図ることができる。
【００８７】
なお、上記の例では、第２実施形態および第３実施形態における、［ピール］キーの押下は、＜テキスト入力画面＞（図５Ｄ１１およびＤ１２参照）の状態で行われるものとしたが、第１実施形態において、ピール長の設定とピール位置の設定の後（すなわち、Ｄ１４の後）、続けてピール内容の設定やピール部Ｌ２へのキャラクタの入力が行われるようにしても良い。但し、この場合、ピール部Ｌ２に印刷される内容によって、ピール長が変更されるため、ピール長の設定は目安として行われることが好ましい（例えば、ピール部Ｌ２が５〔ｃｍ〕以上となるときは、ピール長の設定は無視するなど）。
【００８８】
また、図７以降に示すラベルＬの作成例は、いずれもピール位置がラベル部Ｌ１に対して「後部」に位置する例を示しているが、「前部」または「前・後」のいずれであっても良い。その他、本発明を逸脱しない範囲で適宜変更も可能である。
【００８９】
【発明の効果】
上述のように、本発明のラベル作成装置およびラベル作成装置のラベル作成方法によれば、ラベル片のラベルとなるラベル部に対し、剥離紙層の剥離代となるピール部を付加するか否かを、ユーザの好みに応じて選択することができるため、使い勝手が向上する、などの効果がある。
【図面の簡単な説明】
【図１】本発明の一実施形態に係る切断装置を備えたラベル作成装置の外観斜視図である。
【図２】本発明のラベル作成装置の蓋体を開蓋した状態の外観斜視図である。
【図３】本発明のラベル作成装置の制御系のブロック図である。
【図４】ラベルの構造およびカット方法を示す説明図である。
【図５】本発明の第１実施形態に係るラベル作成方法を、表示画面を参照して説明する説明図である。
【図６】本発明の第１実施形態に係るラベルの作成例を示す説明図である。
【図７】本発明の第２実施形態に係るラベル作成方法を、表示画面を参照して説明する説明図である。
【図８】本発明の第２実施形態に係るラベルの作成例を示す説明図である。
【図９】本発明の第３実施形態に係るラベル作成方法を、表示画面を参照して説明する説明図である。
【図１０】本発明の他の応用例に係るラベルの作成例を示す説明図である。
【符号の説明】
１        ラベル作成装置
３        キーボード
Ｃ        テープカートリッジ
１１      操作部
１２      印刷部
１３      切断部
１５      検出部
３１      文字キー群
３２      機能キー群
４２      自動切断表示ランプ（自動切断ＬＥＤ）
４５      表示画面
１３１ａ  フルカット用カッタモータ
１３１ｂ  ハーフカット用カッタモータ
１３２ａ  フルカット用テープカッタ
１３２ｂ  ハーフカット用テープカッタ
１３３ａ  フルカット用カットボタン
１３３ｂ  ハーフカット用カットボタン
２００    制御部
２１０    ＣＰＵ
２２０    ＲＯＭ
２３０    ＣＧ−ＲＯＭ
２４０    ＲＡＭ
Ｋ        カーソル
Ｔ        テープ
Ｔａ      受像層
Ｔｂ      剥離紙層
Ｌ        ラベル
Ｌ１      ラベル部
Ｌ２      ピール部
【図１】
0003960098.tif 000002
【図２】
0003960098.tif 000003
【図３】
0003960098.tif 000004
【図４】
0003960098.tif 000005
【図５】
0003960098.tif 000006
【図６】
0003960098.tif 000007
【図７】
0003960098.tif 000008
【図８】
0003960098.tif 000009
【図９】
0003960098.tif 000010
【図１０】
0003960098.tif 000011